(57)【特許請求の範囲】
【請求項１】
一端に第１のフレキシブルワイヤー連結筒が固定されると共に他端に第２のフレキシブルワイヤー連結筒が固定されたアウター軸及び上記第１,第２のフレキシブルワイヤー連結筒内に配置されてその軸方向へ移動可能に挿通されているインナー軸からなるフレキシブルワイヤーと、
先端に設けられたマーカー本体収納筒内に先端側に印字面を有するマーカー本体を出し入れ可能に収納し、上記インナー軸の移動動作に連係して該マーカー本体を該マーカー本体収納筒に対して出し入れさせる上記第１のフレキシブルワイヤー連結筒に連結されたマーカー機構と、
を有し、上記第２のフレキシブルワイヤー連結筒をトルクレンチに接続して、上記インナー軸の他端を、トルクレンチに設けられているマーカー作動機構を構成する梃子杆の一端部に当接位置せしめ、上記トルクレンチによるねじ締結トルクが設定トルクに達して上記梃子杆が動作したときの動作力で上記インナー軸を移動させて上記マーカー機構のマーカー本体を上記マーカー本体収納筒から出して上記印字面により被マーキング体にマーキングするトルクレンチ用のマーカー装置であって、
上記マーカー機構は、上記マーカー本体を上記マーカー本体収納筒の内部に押し込む復元バネと、上記マーカー本体収納筒の先端部に固定したマグネット付き固定板とを有することを特徴とするトルクレンチ用のマーカー装置。
【請求項２】
上記マーカー機構は、上記マーカー本体収納筒と上記第１のフレキシブルワイヤー筒との間を連結する筒枠と、上記筒枠内にその軸方向移動可能に配置されて上記インナー軸の一端と当接するバネケースと、該バネケース内に配置された押動軸用ばねと、上記筒枠内にその軸方向移動可能に配置されて該押動軸用ばねと上記マーカー本体との間に配置された押動軸と、を有することを特徴とする請求項１に記載のトルクレンチ用のマーカー装置。
【発明の詳細な説明】
【０００１】
【発明の属する技術分野】
この発明は、ねじの締付作業時に使用する単能型トルクレンチ又はプレセット型トルクレンチのトグル動作を利用して、被締付ねじの締付終了時に、該被締付ねじが締結されたことを所望位置にマーキングするトルクレンチ用のマーカー装置に係り、特にそのマーカー機構を任意の位置に位置決めすることができるようにして、被締付ねじ以外の個所にマーキングを行なうことができるように構成したマーカー装置に関するものである。
【０００２】
【従来の技術】
締結が完了された被締結ねじに、その被締結ねじが締結されているものであることを表示させるための従来のマーキング手段として、例えば図６、図７で示す構造のマーカー付きトルクレンチを既に開発している。この従来のマーカー付きトルクレンチは、不図示のトグルリンク機構を内装しているチューブ２、このチューブ２の先端部に取付けられた支軸３に軸支されるヘッド４、及びチューブ２の尾端部に取付けられている柄５を有したトルクレンチ本体１と、このトルクレンチ本体１に保持されているマーカー駆動機構６と、上記ヘッド４に係合保持されているラチエット筒１３内に挿通位置されているマーカー機構１０とで構成されている。
【０００３】
上記マーカー駆動機構６は、トルクレンチ本体１のチューブ２の外側に固定されているＬ字形のリンク７を有し、このリンク７にレバー８の後端部が当接されている。レバー８の後端は、支軸９を介してチューブ２に軸支されており、またレバー８の先端はマーカー機構１０のマーカーヘッド１１に係合されている。
【０００４】
マーカー機構１０は、上記ヘッド４内に位置されるラチエットギヤ１２を有するラチエット筒１３とこのラチエット筒１３の下端に結合ねじ１４を介して結合保持される筒状アダプタ１５を有している。この筒状アダプタ１５の下端部には、ソケット１６がその軸方向に摺動自在に嵌合されているが、この摺動範囲は、筒状アダプタ１５の母線方向に長い透孔１７と、この透孔１７内に遊嵌され、かつソケット１６に植設されているガイドピン１８によって規制されるものである。
【０００５】
前記マーカーヘッド１１には、前記ラチエット筒１３及び筒状アダプタ１５の内部に挿通されるマーカーロッド１９の上端を保持し、そのマーカーロッド１９の下端には、例えばスポンジに着色インクを含浸せしめたマーカー２０を保持するマーカーケース２１が、連結ピン２２及びＯリング２３を介して保持されている。
【０００６】
なお、２４はマーカーロッド１９の上下動を許すスプリング、２５はレバー８の復元用スプリング、２６はソケット１６の上端と、筒状アダプタ１５に設けた止め輪２７との間に介在されて、ソケット１６を常に押し下げているスプリングである。２８は被締付ねじであるナット、２９はそのボルトを示す。そして上記トルクレンチ本体１を用いてナット２８のねじ締めを行なうとき、図６で示すようにソケット１６をナット２８に嵌合し、しかる後トルクレンチ本体１の柄５を往復動作させることでラチエット筒１２、筒状アダプタ１５を介してソケット１６が回転し、ナット２８の締付けがなされ、その締付けトルクが所定値に達すればトルクレンチ本体１内のトグルが動作する。
【０００７】
このトグルが動作することでヘッド４は、支軸３を支点として動作するため、このヘッド４の動作でリンク７が支持ピン３を支点として回動する。このリンク７の動作により、後端部がレバー支点９に支持されているレバー８の先端は、押し下げられるため、このレバー８の先端に係合されているマーカーヘッド１１が押し下げられる。このマーカーヘッド１１が押し下げられることで、マーカーロッド２１がスプリング２５の弾圧力に抗して押し下げられて、マーカーロッド１９の下端に取付けられているマーカー２０がボルト２９の先端に押し当てられて、そのボルト２９の先端面にねじ締めが完了されたことを印すマーキングがなされるものである。
【０００８】
【発明が解決しようとする課題】
ところが、このような構成の従来のマーカー機構１０にあっては、トルクレンチ本体１と一体構造となっており、そのトルクレンチ本体１のソケット１６により締結されたボルト２９の先端面に対してマーキングを行なうものであるために、そのトルクレンチ本体１に取付け使用するラチエット筒１３を例えば長尺のラチエット筒１３と交換して工作物又は構築物等の奥深い個所に位置されているボルト２９のねじ締めを行ない、そのねじ締め完了後、マーカー駆動機構６の働きでそのボルト２９端面にマーキングがなされたとしても、上記ボルト２９が工作物又は構築物等において、その外部から見づらい奥深い個所にあるとき、該ボルト２９に対してのマーキングの有無を外部から目視確認することは困難である場合があり、このために被締結ねじにマーキングがなされているか否かの管理を適切に行なうことができないことがあった。
【０００９】
本発明はかかる従来の事実に鑑みてなされたもので、被締結完了時に生じるマーカー駆動機構の動作を受けて作動するマーカー機構を、トルクレンチのソケットから遠ざけることができるようにして、被締結ねじの締結完了時に行なわれるマーキングによるマークを、その被締結ねじに直接付すのではなく、そのマークを最も目視確認しやすい部所に付することができるトルクレンチ用のマーカー装置の提供を目的とする。
【００１０】
【課題を解決するための手段】
上記目的を達成するために本発明の構成は、一端に第１のフレキシブルワイヤー連結筒が固定されると共に他端に第２のフレキシブルワイヤー連結筒が固定されたアウター軸及び上記第１,第２のフレキシブルワイヤー連結筒内に配置されてその軸方向へ移動可能に挿通されているインナー軸からなるフレキシブルワイヤーと、先端に設けられたマーカー本体収納筒内に先端側に印字面を有するマーカー本体を出し入れ可能に収納し、上記インナー軸の移動動作に連係して該マーカー本体を該マーカー本体収納筒に対して出し入れさせる上記第１のフレキシブルワイヤー連結筒に連結されたマーカー機構と、を有し、上記第２のフレキシブルワイヤー連結筒をトルクレンチに接続して、上記インナー軸の他端を、トルクレンチに設けられているマーカー作動機構を構成する梃子杆の一端部に当接位置せしめ、上記トルクレンチによるねじ締結トルクが設定トルクに達して上記梃子杆が動作したときの動作力で上記インナー軸を移動させて上記マーカー機構のマーカー本体を上記マーカー本体収納筒から出して上記印字面により被マーキング体にマーキングするトルクレンチ用のマーカー装置であって、上記マーカー機構は、上記マーカー本体を上記マーカー本体収納筒の内部に押し込む復元バネと、上記マーカー本体収納筒の先端部に固定したマグネット付き固定板とを有することを特徴とする。
【００１１】
また本発明の他の構成は、上記した第１の構成において、上記マーカー機構は、上記マーカー本体収納筒と上記第１のフレキシブルワイヤー筒との間を連結する筒枠と、上記筒枠内にその軸方向移動可能に配置されて上記インナー軸の一端と当接するバネケースと、該バネケース内に配置された押動軸用ばねと、上記筒枠内にその軸方向移動可能に配置されて該押動軸用ばねと上記マーカー本体との間に配置された押動軸と、を有することを特徴とする。
【００１２】
【発明の実施の形態】
以下に本発明を図面に示す実施の形態に基いて詳細に説明する。先ず図１においてマーカー装置の構成を説明する。
【００１３】
３１は可撓性パイプであるアウター軸３１Ａと、可撓性ワイヤーであるインナー軸３１Ｂとからなるフレキシブルワイヤーであって、そのアウター軸３１Ａの一端は、連結ねじ環３２及び締結ナット３３を介して第１のフレキシブルワイヤー連結筒３４に連結されている。この第１のフレキシブルワイヤー連結筒３４の内部には、インナー軸３１Ｂが貫通されている。ここで第１のフレキシブルワイヤー連結筒３４には、図１に示すように、後述する筒枠３５,ばねケース３６,押動軸ばね３７,押動軸３８,スライド筒３９,マーカー収納筒４０,カップリング４１,マーカー本体４２,復元ばね４４,固定板４５,マグネット４６で構成されるマーカー機構４８が連結されている。
【００１４】
３５は上記第１のフレキシブルワイヤー連結筒３４に螺合連結されている筒枠であって、この筒枠３５の内部には、ばねケース３６が軸方向へ摺動可能に嵌合されており、さらにこのばねケース３６の内部には、押動軸ばね３７と押動軸３８の頭部が収納されており、押動軸３８は押動軸ばね３７の弾圧力で、図面において下方へ付勢されている。またこの押動軸３８の下端部は、筒枠３５内で軸方向へ摺動可能に嵌合保持されているスライド筒３９内に螺合連結されている。
【００１５】
４０は下面にマーカー本体押出開口４７を有するマーカー本体収納筒であって、このマーカー本体収納筒４０は、カップリング４１を介して上記筒枠３５の下端部に嵌合連結されている。４２はマーカー本体収納筒４０に位置されるマーカー本体であって、このマーカー本体４２はその下面に印面４３を有し、この印面４３にはマーカー本体４２の内部に貯蔵されているインクが含浸される構成となっている。このマーカー本体４２は、該マーカー本体４２の外側と、マーカー本体収納筒４０の内底面との間に介在される円錐形状の復元ばね４４により、その印面４３が常時はマーカー本体収納筒４０内に位置されるように押し上げられると共に、そのマーカー本体４２の上面は、上記スライド筒３９の下端に当接支持されている。
【００１６】
４５は、マーカー本体収納筒４０の下端部外側に螺着されている円板形状の固定板であって、この固定板４５の周縁部には複数個のマグネット４６が埋設されていて、そのマグネット４６の吸磁力でマーカー機構４８を、適宜被マーキング位置に磁力で位置決めすることができるようになっている。
【００１７】
４９は、上記フレキシブルワイヤー３１のアウター軸３１Ａの他端に加締ねじ５０により取付けられている第２のフレキシブルワイヤー連結筒であって、この第２のフレキシブルワイヤー連結筒４９は、トルクレンチ５５に取付けられる保護カバー６８に固定されている連結筒５２に螺着結合することができる。また上記フレキシブルワイヤー３１のインナー軸３１Ｂの他端には、押動杆５３が取付けられており、この押動杆５３と、上記第２のフレキシブルワイヤー連結筒４９との間には、その押動杆５３を図１において常時下方へ押し下げるためのばね５４が介在されている。
【００１８】
以上がフレキシブルワイヤー３１とマーカー機構４８の構成であるが、次にこのマーカー機構４８を取付け使用するためのトルクレンチについて図２乃至図４で説明する。このトルクレンチ５５は、周知であるトグルリンク機構５６を内装したチューブ５７と、このチューブ５７の先端部に取付けた支軸５８により軸支されているヘッド５９と、チューブ５７の尾端部に取付けられている柄６０を有している。
【００１９】
このトルクレンチ５５には、そのトグルリンク機構５６の動作で上記マーカー機構４８を動作せしめるためのマーカー作動機構６１が設けられているが、このマーカー作動機構６１は、図４で示すように、チューブ５７の外側に固定されている支軸６２により回動自在に支持されている梃子杆６３と、チューブ５７の軸方向と平行位置される支軸６４に軸支されるＬ字形のリンク６５を有し、このリンク６５の一端は、該リンク６５に螺着されている調整ねじ６６を介してヘッド５９の側面に当接されており、またそのリンク６５の他端は摩擦軽減部材である球体６７を介して上記の梃子杆６３の他端６３Ｂの上面に当接されている。
【００２０】
以上がトルクレンチ５５の構成であるが、次にそのトルクレンチ５５に上記マーカー機構４８とフレキシブルワイヤー３１を取付けて不図示である被マーキング体に対してマーキングする作用説明をする。
【００２１】
先ず上記フレキシブルワイヤー３１のインナー軸３１Ｂ他端に取付けられている押動杆５３を、連結筒５２の内部を通してトルクレンチ５５に設けられている保護カバー６８内に挿入し、その押動杆５３の先端をマーカー作動機構６１の梃子杆６３の一端６３Ａ部に当接させるようにして第２のフレキシブルワイヤー連結筒４９を、上記連結筒５２に螺着し、トルクレンチ５５にマーカー機構４８を取付ける。
【００２２】
そこでそのマーカー機構４８の固定板４５を、マーキングしたい所望の物体にマグネット４６の吸磁力で位置決めした後、そのトルクレンチ５５によるねじ締め作業を開始する。トルクレンチ５５によるねじ締結が進み、ねじが所定のトルク値で締結されると、トルクレンチ内のトグルリンク機構５６が動作し、これによりチューブ５７とヘッド５９の相対的変動によりリンク６５が支軸６４を支点として回動し、梃子杆６３の他端６３Ｂが下方へ押し下げられる。
【００２３】
この梃子杆６３他端６３Ｂの押し下げにより、その一端６３Ａが梃子動作で押し上げられる。この梃子杆一端６３Ａの押し上げ動作でマーカー機構４８の押動杆５３が、ばね５４の弾圧力に抗して押し上げられるために、この押動杆５３に連結されているインナー軸３１Ｂが押動され、その結果ばねケース３６が下方へ押動される。
【００２４】
ばねケース３６の押動力は、ばね３７を介して押動軸３８に伝達されるために、この押動軸３８の先端部に螺合されているスライド筒３９の先端に当接されているマーカー本体４２は復元ばね４４の弾圧力に抗して押下され、そのマーカー本体４２の印面４３は、マーカー本体押出開口４７より押し出されて、物体へのマーキングがなされるものである。このマーキング時のマーカー本体４２の過剰な押圧力はばねケース３６内のばね３７により吸収され、またマーカー本体４２の支出量は、押動軸３８とスライド筒３９との螺合量で調整することができる。
【００２５】
このように本実施の形態にあっては、マーカー機構４８のマーカー本体４２収納支持部をフレキシブルワイヤー３１を介してトルクレンチ５５と連結して、そのマーカー本体収納部４０を任意の位置に位置決めすることができるようにすると共に、そのトルクレンチ５５によるトグルリンク機構５６の動作に関連してマーカー本体４２を動作し、その印面４３でマーキングを行なうように構成したマーカー機構であるから、トルクレンチ５５によるねじ締め作業時において設定トルク値でねじ締めがなされたと同時に任意位置へのマーキングがなされるものである。
【００２６】
【発明の効果】
以上のように本発明のトルクレンチ用のマーカー装置によれば、その固定板を、マーキングすべき所望位置に固定位置決めすることができるので、ねじ締結完了を表示するマーキングを、その被締結ねじ以外の部所にマーキングすることができ、これにより被締結ねじの頭部にマーキングをすることが困難である場合、あるいは被締結ねじの頭部にマーキングを行なっても、そのマーキングの有無を容易に目視確認することができない場合などのとき、その被締結ねじの頭部にマーキングをしなくても、ねじ締め管理を有効かつ容易に行なうことができる。
【図面の簡単な説明】
【図１】本発明よりなるマーカー装置の実施の形態を示した断面図。
【図２】図１のマーカー装置を取付け使用するトルクレンチの平面図。
【図３】図１のマーカー機構に図１のマーカー装置を取付け使用するトルクレンチのマーカー作動機構を示した側面説明図。
【図４】図２、図３のトルクレンチのマーカー作動機構の要部断面図。
【図５】図１のマーカー装置を取付け使用するトルクレンチのマーカー作動機構の動作説明図。
【図６】従来のマーカー付きトルクレンチを示した断面図。
【図７】従来のマーカーを示した断面図。
【符号の説明】
３１…フレキシブルワイヤー
３１Ａ…アウター軸
３１Ｂ…インナー軸
３２…連結ねじ環
３３…ナット
３４…第１のフレキシブルワイヤー連結筒
３５…筒枠
３６…ばねケース
３７…押動軸ばね
３８…押動軸
３９…スライド筒
４０…マーカー本体収納筒
４１…カップリング
４２…マーカー本体
４３…印面
４４…復元ばね
４５…固定板
４６…マグネット
４７…マーカー本体押出開口
４８…マーカー機構
４９…第２のフレキシブルワイヤー連結筒
５０…加締ねじ
５２…連結筒
５３…押動杆
５４…ばね
５５…トルクレンチ
５６…トグルリンク機構
５７…チューブ
５８…支軸
５９…ヘッド
６０…柄
６１…マーカー作動機構
６２…支軸
６３…梃子杆
６４…支軸
６５…リンク
６６…調整ねじ
６７…球体
６８…保護カバー
【図１】
0004454727.tif 000002
【図２】
0004454727.tif 000003
【図３】
0004454727.tif 000004
【図４】
0004454727.tif 000005
【図５】
0004454727.tif 000006
【図６】
0004454727.tif 000007
【図７】
0004454727.tif 000008